(57)【要約】【課題】石鹸の水切れが良く，溶けて軟らかくなることを防止でき，石鹸が小さくなってもその保持を見栄えよく効果的に行うことができ，また，石鹸が滑り落ちにくい石鹸保持具を提供すること。【解決手段】基台と，基台の石鹸保持面側の表面に形成された毛状の突起群を有した石鹸保持具であって，前記基台の石鹸保持面側は，周辺部に対して中央部が凸状に盛り上がる構造であり，前記毛状の突起群の石鹸保持面側は，周辺部に対して中央部が凹状に窪んでいる構造であることを特徴として石鹸保持具を構成した。【選択図】      図１
2004321717.tif 000002
【特許請求の範囲】
【請求項１】
基台と，基台の石鹸保持面側の表面に形成された毛状の突起群を有した石鹸保持具であって，前記基台の石鹸保持面側は，周辺部に対して中央部が凸状に盛り上がる構造であり，前記毛状の突起群の石鹸保持面側は，周辺部に対して中央部が凹状に窪んでいる構造であることを特徴として構成された石鹸保持具。
【請求項２】
樹脂材料により一体成形されたことを特徴とする請求項１記載の石鹸保持具。
【請求項３】
基台と毛状の突起群が各々別材料で構成されたことを特徴とする請求項１記載の石鹸保持具。
【発明の詳細な説明】
【０００１】
【発明の属する技術分野】
本件の発明は，固形石鹸を保持するための石鹸保持具に関するものである。
【０００２】
【従来の技術】従来，石鹸が溶けて柔らかくなることを防止する目的で考案された石鹸容器としては，特許文献１に記載したように，石鹸を立てた状態で収容する容器が知られている。これは，石鹸容器を，石鹸を立てたままの状態で収容可能であるように凹部を設けて形成し，凹部の底部には水抜きを目的とした貫通孔を設け，さらに水の排出を効果的に行いつつ，底部に溜まる水との接触を避ける目的で貫通孔の周縁部に部分的に凸状の台部を設けたものである。
【０００３】石鹸は，この凹部の壁面と，部分的に設けられた凸状の台座にて保持されるため，水との接触が少ない状態で保持される。
【０００４】
【特許文献１】特開２００２−１７７１６０号公報  （第４図）
【０００５】
【発明が解決しようとする課題】しかしながら，実際に上記のような石鹸容器に石鹸を入れる場合，使用とともに石鹸の大きさが小さくなってくるが，容器の凹部の高さよりも石鹸の高さが小さくなると，取り出しにくくなるという問題があった。また，底部に石鹸が横たわる程度の大きさになってくると，場合によっては部分的に設けられた凸状の台座が石鹸に押し込まれ貫通孔を塞いでしまい水の排出が効果的に行えなくなるという問題があった。また，石鹸には様々な形状があるために，容器に入らない場合があるという問題があった。さらに，石鹸に台座の跡がつくために，使用とともに石鹸の見栄えが良くなくなってくるということがあった。また，石鹸台によっては，確実に気をつけて石鹸を置かないと容器から滑り落ちる石鹸台があった。
【０００６】そこで本件の発明は，石鹸の水切れが良く，溶けて軟らかくなることを防止でき，石鹸が小さくなってもその保持を見栄えよく効果的に行うことができ，また，石鹸が滑り落ちにくい石鹸保持具を提供することを目的としている。
【０００７】
【課題を解決するための手段】
上述の目的を達成するために，本発明の請求項１では，基台と，基台の石鹸保持面側の表面に形成された毛状の突起群を有した石鹸保持具であって，前記基台の石鹸保持面側は，周辺部に対して中央部が凸状に盛り上がる構造であり，前記毛状の突起群の石鹸保持面側は，周辺部に対して中央部が凹状に窪んでいる構造であることを特徴として石鹸保持具を構成したものである。
【０００８】
また請求項２では，樹脂材料により一体成形されたことを特徴として請求項１記載の石鹸保持具を提供したものである。
【０００９】
また請求項３では，基台と毛状の突起群が各々別材料で構成されたことを特徴として請求項１記載の石鹸保持具を提供したものである。
【００１０】
【発明の実施の形態】以下，本発明の実施の形態について，図面を用いて詳細に説明する。
【００１１】図１は本件発明の石鹸保持台の一実施例を示したものである。図２および図３は石鹸保持台の側面図，平面図をそれぞれ示したものである。図１に示した１は石鹸保持台の基台であり，２は基台１の表面に形成された毛状の突起群を示している。
【００１２】基台１は，図２および図３に示したように，底部１０３から適当な高さｈの立ち上がり部分を有し，基台１の石鹸保持面側は，周辺部１０１に対して中央部１０２が凸状に盛り上がっている構造になっている。高さｈは石鹸保持台を設置した場合に，周囲の水気を避けるために設けたものであり１０ｍｍ程度の高さを設けている。設置場所により，適宜高さｈを増減してデザインを行うことが可能である。
【００１３】凸状の盛り上がりは中央部１０２が最も高く，周辺部１０１に移るにつれて滑らかに低くなるように形成されている。中央部１０２から見てどちらの方向へも滑らかに低くなるように基台１の石鹸保持面側を形成しているため中央部１０２の水は，速やかに周辺部１０１に流れ落ちる。
【００１４】基台１の石鹸保持面側には，毛状の突起群２が形成されている。図２および図３に示したように，毛状の突起群２の根元部２０１は基台１の石鹸保持面側表面に沿って位置しており，先端部２０２は，突起群全体として石鹸を受け止められるよう，突起群周辺部２０３に対して，突起群中央部２０４が凹状に窪んでいる構造になっている。
【００１５】前記先端部２０２は，基台とは対照的に突起群中央部２０４が最も低く，突起群周辺部２０３に移るにつれて滑らかに高くなるように形成されている。突起群中央部２０４から見て，どちらの方向へも滑らかに高くなっていくように毛状の突起群２の石鹸保持面側を形成しているため，石鹸を置いたときに，石鹸は突起群中央部２０４に向かうように力を受け，多少偏って置いた場合でも石鹸を安定して保持することができるようになっている。
【００１６】また，先端部２０２は，石鹸を傷付けることを防止するために，該先端部のエッジが丸く加工されている。石鹸は毛状の突起群２の全体面もしくは部分面で保持されるため，石鹸の重さを分散して保持でき，丸く加工された先端部２０２と相まって，使用を続けていくとともに石鹸表面に傷がつき見栄えが良くなくなることを防止することができる。
【００１７】毛状の突起群２の石鹸保持面は中央部が滑らかに窪んでいるだけであり，保持を行う石鹸の大きさは制限されないため，一般的な形状の石鹸や，比較的大きなサイズの石鹸，また特殊な形状の石鹸においても効果的に保持を行うことが可能である。
【００１８】毛状の突起群２は多数設けられているために，毛間の隙間が小さく，石鹸の使用とともに石鹸の大きさが小さくなってきた場合でも，安定して石鹸を保持でき，水切れが良いという効果を継続して発揮することを可能としている。
【００１９】なお，本実施例の基台１の石鹸保持面側の形状は，滑らかな曲面になるよう形成されているが，家屋の屋根の形状のような切妻形式や，寄棟形式のように直線的に設けて中央部が一番高く，周辺部にかけて低くなるように形成してもよい。
【００２０】本実施例に示した石鹸保持台は，樹脂材料による一体成形がなされている。そのため，生産の工程におけるステップが少なくて良く，コストを低く生産を行うことが可能である。また，樹脂材料に様々な色を付けて種々の色合いの石鹸保持台を提供することができる。また，埃などで汚れた場合には丸洗いでき，衛生的に保つことができる。
【００２１】図５には第二の実施例を示している。基台３と，毛状の突起群４は別々の材料で構成されており，基台３は陶器で形成され，毛状の突起群４はブラシ等に用いられる毛で形成されている。基台３と毛状の突起群４を別々の材料で構成するため，本実施例のように，陶器と毛を用いることで，重量感と，高級感などデザイン性を併せ持たせた石鹸保持台を提供することができる。高級ホテル等で使用される高級な石鹸を保持する場合にも，水切れが良く，安定して保持を行うという本来の目的を効果的に達成しながら，見栄えの良い石鹸保持台を提供することが可能である。基台３には陶器の他，木材や，合成樹脂等を用いたり，毛状の突起群４には，ブラシ等に用いられる毛材料の他，合成樹脂やガラスなどを用いて石鹸保持台を形成してもよい。
【００２２】
【発明の効果】
以上のように請求項１，２，３の発明によれば，石鹸の水切れが良く，溶けて軟らかくなることを防止でき，石鹸が小さくなってもその保持を見栄えよく効果的に行うことができ，また，石鹸が滑り落ちにくい石鹸保持具を提供するを提供することができる。
【図面の簡単な説明】
【図１】本発明の一実施例を示した石鹸保持台の斜視図である。
【図２】本発明の一実施例を示した石鹸保持台の側面図である。
【図３】本発明の一実施例を示した石鹸保持台の平面図である。
【図４】本発明の第二の実施例を示した石鹸保持台の斜視図である。
【図５】従来の例を示した図である。
【符号の説明】
１  基台
２  毛状の突起群
３  基台
４  毛状の突起群
１０１  基台周辺部
１０２  基台中央部
１０３  底部
２０１  根元部
２０２  先端部
２０３  突起群周辺部
２０４  突起群中央部
【図１】
2004321717.tif 000003
【図２】
2004321717.tif 000004
【図３】
2004321717.tif 000005
【図４】
2004321717.tif 000006
【図５】
2004321717.tif 000007